(57)【要約】【課題】横引スクリーンの框の移動速度を調整しながら、ハンガーレールの大型化を防止し得る横引スクリーンの開閉装置を提供する。【解決手段】一対の框１，２をパンタグラフ装置７ａ，７ｂで連結するとともに、該框１，２間にスクリーンを配設し、パンタグラフ装置７ａ，７ｂを伸縮させることにより、スクリーンを伸縮して開閉可能とし、パンタグラフ装置７ａ，７ｂにはスクリーンの開閉操作の補助力を生成する開閉補助装置を備えた横引スクリーンにおいて、開閉補助装置の補助力による框２の移動速度を抑制するダンパー装置１６をいずれか一方の框に設けた。【選択図】　　　　図１
2004084188.tif 000002
【特許請求の範囲】
【請求項１】
一対の框をパンタグラフ装置で連結するとともに、該框間にスクリーンを配設し、前記パンタグラフ装置を伸縮させることにより、前記スクリーンを伸縮して開閉可能とし、前記パンタグラフ装置には前記スクリーンの開閉操作の補助力を生成する開閉補助装置を備えた横引スクリーンにおいて、
前記開閉補助装置の補助力による框の移動速度を抑制するダンパー装置をいずれか一方の框に設けたことを特徴とする横引スクリーンの開閉装置。
【請求項２】
前記ダンパー装置は、
前記パンタグラフ装置の伸縮に基づいて前記框内を昇降する昇降軸と、
前記昇降軸の昇降を制動するダンパーと
から構成したことを特徴とする請求項１記載の横引スクリーンの開閉装置。
【請求項３】
前記昇降軸をラックギヤで構成し、前記ダンパーは前記ラックギヤに噛合う歯車部の回転をオイルの粘性抵抗で制動するオイルダンパーで構成したことを特徴とする請求項２記載の横引スクリーンの開閉装置。
【請求項４】
前記昇降軸をスパイラルシャフトで構成し、前記ダンパーは前記スパイラルシャフトに噛合う歯車部の回転をグリスの粘性抵抗で制動するグリスダンパーで構成したことを特徴とする請求項２記載の横引スクリーンの開閉装置。
【請求項５】
前記グリスダンパーは、スパイラルシャフトとともに昇降可能とするとともに、前記スクリーンの全開位置近傍から全開位置の範囲と、全閉位置近傍から全閉位置までの範囲で前記グリスダンパーの移動を阻止するストッパーを前記框に設けたことを特徴とする請求項４記載の横引スクリーンの開閉装置。
【請求項６】
前記開閉補助装置は、
前記パンタグラフ装置を構成する第一の連接軸の両端部を、第二の連接軸の一方の端部を経て連結する連結部材と、
前記第一の連接軸の両端部を引く方向に付勢する付勢力を前記連結部材に付与する付勢手段と
から構成したことを特徴とする請求項１乃至５の少なくともいずれかに記載の横引スクリーンの開閉装置。
【請求項７】
前記連結部材をワイヤで構成し、前記付勢手段をコイルスプリングで構成したことを特徴とする請求項６記載の横引スクリーンの開閉装置。
【請求項８】
前記框は、固定框と移動框とで構成し、前記パンタグラフ装置は、前記第一の連接軸と第二の連接軸からなる一組のパンタグラフ装置を固定框と移動框との間で複数組連結して構成し、前記開閉補助装置は、前記固定框に接続されるパンタグラフ装置に備え、前記ダンパー装置は前記移動框に設けたことを特徴とする請求項１乃至７の少なくともいずれかに記載の横引スクリーンの開閉装置。
【発明の詳細な説明】
【０００１】
【発明の属する技術分野】
この発明は、横引プリーツスクリーン、アコーデオンカーテン等のスクリーンを開閉する開閉装置に関するものである。
【０００２】
【従来の技術】
特公昭５９−２１４３８号に記載された折畳ドアは垂直枠間に表面シートが伸縮可能に配設され、かつ垂直枠間に伸縮枠が配設されている。そして、一方の垂直枠をレールに沿って移動させることにより、表面シートを引き出しあるいは畳み込み可能となっている。
【０００３】
一方の垂直枠には伸縮枠の開閉に際し、補助力を付与する定荷重バネが設けられている。そして、垂直枠を中間位置から表面シートの引き出し方向に移動させれば、その垂直枠に表面シートの引き出し方向への補助力が作用して、垂直枠を全閉位置まで移動させたとき、同垂直枠をその位置に保持する。
【０００４】
また、垂直枠を中間位置から表面シートの畳み込み方向に移動させれば、その垂直枠に表面シートの畳み込み方向への補助力が作用して、垂直枠を全開位置まで移動させたとき、同垂直枠をその位置に保持する。
【０００５】
【発明が解決しようとする課題】
上記のような開閉装置では、表面シートの伸縮に対する反発力は、表面シートの材質によりそれぞれ異なる。そこで、定荷重バネの付勢力は表面シートの材質に応じて設定することが望ましい。
【０００６】
しかし、表面シートの材質に応じて定荷重バネの付勢力を設定することは、設計あるいは組み立て作業が煩雑となる。
すべての材質の表面シートに対し、十分な補助力を確保するために、定荷重バネの付勢力を強くすると、反発力の弱い表面シートを使用した場合、補助力が過大となる。
【０００７】
そして、引出し操作時には垂直枠が対向するドア枠に衝突したり、畳み込み操作時には表面シートが勢いよく畳み込まれて垂直枠同士が衝突して、騒音を発生する等の問題点がある。
【０００８】
そこで、垂直枠の移動速度を所定速度以下に規制するダンパーをレール内に設ける構成が考えられるが、このような構成ではレールが大型化するという問題点がある。
【０００９】
この発明の目的は、横引スクリーンの框の移動速度を調整しながら、ハンガーレールの大型化を防止し得る横引スクリーンの開閉装置を提供することにある。
【００１０】
【課題を解決するための手段】
請求項１では、一対の框をパンタグラフ装置で連結するとともに、該框間にスクリーンを配設し、前記パンタグラフ装置を伸縮させることにより、前記スクリーンを伸縮して開閉可能とし、前記パンタグラフ装置には前記スクリーンの開閉操作の補助力を生成する開閉補助装置を備えた横引スクリーンにおいて、前記開閉補助装置の補助力による框の移動速度を抑制するダンパー装置をいずれか一方の框に設けた。
【００１１】
請求項２では、前記ダンパー装置は、前記パンタグラフ装置の伸縮に基づいて前記框内を昇降する昇降軸と、前記昇降軸の昇降を制動するダンパーと
から構成した。
【００１２】
請求項３では、前記昇降軸をラックギヤで構成し、前記ダンパーは前記ラックギヤに噛合う歯車部の回転をオイルの粘性抵抗で制動するオイルダンパーで構成した。
【００１３】
請求項４では、前記昇降軸をスパイラルシャフトで構成し、前記ダンパーは前記スパイラルシャフトに噛合う歯車部の回転をグリスの粘性抵抗で制動するグリスダンパーで構成した。
【００１４】
請求項５では、前記グリスダンパーは、スパイラルシャフトとともに昇降可能とするとともに、前記スクリーンの全開位置近傍から全開位置の範囲と、全閉位置近傍から全閉位置までの範囲で前記グリスダンパーの移動を阻止するストッパーを前記框に設けた。
【００１５】
請求項６では、前記開閉補助装置は、前記パンタグラフ装置を構成する第一の連接軸の両端部を、第二の連接軸の一方の端部を経て連結する連結部材と、前記第一の連接軸の両端部を引く方向に付勢する付勢力を前記連結部材に付与する付勢手段とから構成した。
【００１６】
請求項７では、前記連結部材をワイヤで構成し、前記付勢手段をコイルスプリングで構成した。
請求項８では、前記框は、固定框と移動框とで構成し、前記パンタグラフ装置は、前記第一の連接軸と第二の連接軸からなる一組のパンタグラフ装置を固定框と移動框との間で複数組連結して構成し、前記開閉補助装置は、前記固定框に接続されるパンタグラフ装置に備え、前記ダンパー装置は前記移動框に設けた。
【００１７】
【発明の実施の形態】
（第一の実施の形態）
図１及び図２に示す横引プリーツスクリーンは、固定框１と移動框２との間に２枚のスクリーン３ａ，３ｂが配設される。前記移動框２は、ハンガーレール４に沿って移動可能に支持され、前記スクリーン３ａ，３ｂはジグザグ状に伸縮可能に形成される。従って、移動框２を固定框１から遠ざかる方向に移動させると、スクリーン３ａ，３ｂが引き出され、移動框２を固定框１に近づく方向に移動させると、スクリーン３ａ，３ｂが両框１，２間に畳み込まれる。
【００１８】
前記スクリーン３ａ，３ｂ間には、互いの離間を防止する間隔保持部材５が所定間隔ごとに複数箇所設けられている。また、移動框２の前後両側面には取手６が設けられている。
【００１９】
前記スクリーン３ａ，３ｂ間において、前記固定框１と移動框２との間には２組のパンタグラフ装置７ａ，７ｂが配設されている。
前記パンタグラフ装置７ａは、２本の連接軸８ａ，８ｂがその中間部で回動可能に連結されている。
【００２０】
前記連接軸８ａの一端は、前記固定框１の上部に固定された軸受部材９に回動可能に支持されている。前記連接軸８ｂの一端は、固定框１の下部に上下方向に移動可能に支持された軸受部材１０に回動可能に支持されている。
【００２１】
前記パンタグラフ装置７ｂは、２本の連接軸１１ａ，１１ｂがその中間部で回動可能に連結されている。
前記連接軸１１ａの一端は、前記パンタグラフ装置７ａの連接軸８ｂの他端に回動可能に連結され、前記連接軸１１ｂの一端は、前記パンタグラフ装置７ａの連接軸８ａの他端に回動可能に連結されている。
【００２２】
前記連接軸１１ｂの他端は、前記移動框２の上部に固定された軸受部材１２に回動可能に支持されている。前記連接軸１１ａの他端は、移動框２の下部に上下方向に移動可能に支持された軸受部材１３に回動可能に支持されている。
【００２３】
従って、移動框２を固定框１に向かって移動させれば、軸受部材１０，１３が固定框１及び移動框２に沿って下方へ移動して、図３及び図６に示すように、パンタグラフ装置７ａ，７ｂが畳まれる。
【００２４】
また、移動框２を固定框１から離間する方向に移動させれば、軸受部材１０，１３が固定框１及び移動框２に沿って上方へ移動して、パンタグラフ装置７ａ，７ｂが引き伸ばされる。
【００２５】
前記パンタグラフ装置７ａには、開閉補助装置が取着されている。前記開閉補助装置は、ワイヤ（連結部材）１４ａ，１４ｂとコイルスプリング（付勢手段）１５ａ，１５ｂとから構成される。
【００２６】
前記ワイヤ１４ａは、その一端が前記連接軸８ｂと同１１ａとの連結部において、同連接軸８ｂの端部に固定される。また、ワイヤ１４ａの他端部は、前記軸受部材９に回転可能に支持されたプーリーに掛装されて固定框１に沿って下方へ案内され、軸受部材１０に回転可能に支持されたプーリーに掛装されて固定框１に沿って上方へ案内され、コイルスプリング１５ａの下端に取着されている。
【００２７】
前記コイルスプリング１５ａの上端は、連結ワイヤを介して軸受部材９に接続されている。
前記ワイヤ１４ｂは、その一端が前記連接軸８ａと同１１ｂとの連結部において、同連接軸８ａの端部に固定される。また、ワイヤ１４ｂの他端部は、前記軸受部材１０に回転可能に支持されたプーリーに掛装されて固定框１に沿って上方へ案内され、軸受部材９に回転可能に支持されたプーリーに掛装されて固定框１に沿って下方へ案内され、コイルスプリング１５ｂの上端に取着されている。
【００２８】
前記コイルスプリング１５ｂの下端は、連結ワイヤを介して軸受部材１０に接続されている。
前記連接軸８ａ，８ｂ，１１ａ，１１ｂ及びワイヤ１４ａ，１４ｂは、前記間隔保持部材５に形成された挿通孔２６にそれぞれ挿通されている。
【００２９】
このように構成された開閉補助装置では、連接軸８ａ，８ｂの挟角αが所定角度以下であれば、コイルスプリング１５ａ，１５ｂの付勢力が連接軸８ａ，８ｂの挟角αを小さくする方向、すなわち移動框２を固定框１に向かって移動させて、スクリーン３ａ，３ｂを畳み込む方向に作用する。
【００３０】
また、連接軸８ａ，８ｂの挟角αが所定角度以上であれば、コイルスプリング１５ａ，１５ｂの付勢力が連接軸８ａ，８ｂの挟角αを大きくする方向、すなわち移動框２を固定框１から離れる方向に向かって移動させて、スクリーン３ａ，３ｂを引き出す方向に作用する。
【００３１】
このような動作により、開閉補助装置はスクリーン３ａ，３ｂの引き出し操作及び畳み込み操作時に、移動框２に補助力を付与する。
前記連接軸１１ａの一端と、連接軸１１ｂの一端とは補助コイルスプリング２７を介して接続される。この補助コイルスプリング２７は、移動框２を固定框から離れる方向に付勢する補助力の不足を補うように動作する。
【００３２】
前記移動框２には、ダンパー装置１６が設けられている。前記ダンパー装置１６は、図４に示すように、昇降軸としてのラックギヤ１７と、オイルダンパー１８とから構成される。
【００３３】
前記ラックギヤ１７は、その下端が前記軸受部材１３に固定されて、軸受部材１３とともに、移動框２に沿って上下動可能に支持される。
前記オイルダンパー１８は、移動框２に固定され、図５に示すように、前記ラックギヤ１７に噛合う歯車部１９と、その歯車部１９の回転をオイルの粘性抵抗により制動する制動部２０とを備える。
【００３４】
そして、制動部２０は歯車部１９の回転速度が速くなるほど制動力が増大する。この結果、ラックギヤ１７の昇降速度、すなわち移動框２の移動速度が所定速度以下に規制されるようになっている。
【００３５】
上記のように構成された横引プリーツスクリーンでは、移動框２を固定框１から遠ざかる方向に移動させると、スクリーン３ａ，３ｂが引き出される。このとき、連接軸８ａ，８ｂの挟角αが所定角度より大きくなると、移動框２にスクリーン引出し方向の補助力が作用し、スクリーン３ａ，３ｂを全閉状態とした後は、その補助力により移動框２が全閉位置に保持される。
【００３６】
そして、ダンパー装置１６の作用により、移動框２の移動速度は所定速度以下に抑制される。
また、移動框２を固定框１に近づく方向に移動させると、スクリーン３ａ，３ｂが畳み込まれる。このとき、連接軸８ａ，８ｂの挟角αが所定角度より小さくなると、移動框２にスクリーン畳み込み方向の補助力が作用し、スクリーン３ａ，３ｂを全開状態とした後は、その補助力により移動框２が全開位置に保持される。
【００３７】
そして、ダンパー装置１６の作用により、移動框２の移動速度は所定速度以下に抑制される。
上記のように構成された横引プリーツスクリーンでは、次に示す作用効果を得ることができる。
（１）パンタグラフ装置７ａの連接軸８ａ，８ｂの挟角αが所定角度となる状態から、移動框２を固定框１に近づく方向に移動させるとき、開閉補助装置により移動框２を固定框１に向かって付勢する補助力を発生させることができる。従って、スクリーン３ａ，３ｂの畳み込み操作を軽微な操作力で行うことができる。
（２）パンタグラフ装置７ａの連接軸８ａ，８ｂの挟角αが所定角度となる状態から、移動框２を固定框１から離れる方向に移動させるとき、開閉補助装置により移動框２を固定框１から離れる方向に向かって付勢する補助力を発生させることができる。従って、スクリーン３ａ，３ｂの引き出し操作を軽微な操作力で行うことができる。
（３）ダンパー装置１６により移動框２の移動速度を所定速度以下に抑制することができる。従って、スクリーン３ａ，３ｂの開閉操作時に無用な騒音の発生を防止することができる。
（４）開閉補助装置を構成するコイルスプリング１５ａ，１５ｂの付勢力を強く設定しても、ダンパー装置１６により移動框２の移動速度を所定速度以下に抑制することができる。従って、スクリーン３ａ，３ｂの材質に関わらず、コイルスプリング１５ａ，１５ｂの付勢力を十分に確保した共通の開閉補助装置を使用することができる。この結果、横引プリーツカーテンの設計及び組み立てが容易となるとともに、スクリーン３ａ，３ｂの材質に応じた付勢力のコイルスプリング１５ａ，１５ｂを用意する必要もない。
（５）ダンパー装置１６を移動框２に設けることができる。従って、ハンガーレール４の大型化を防止することができる。
（６）ダンパー装置１６は、移動框２に沿って移動するラックギヤ１７とオイルダンパー１８で構成されるので、移動框２を大型化させることもない。
（第二の実施の形態）
図７及び図８は、第二の実施の形態を示す。この実施の形態は、ダンパー装置２１の構成を除いて、前記第一の実施の形態と同様である。
【００３８】
ダンパー装置２１は、スパイラルシャフト２２と、グリスダンパー２３とで構成される。
前記スパイラルシャフト２２には、螺旋状の溝が刻設され、その下端は、軸受部材１３に固定される。従って、スパイラルシャフト２２は軸受部材１３の移動にともなって移動框２に沿って上下動する。
【００３９】
前記グリスダンパー２３は、移動框２に固定され、歯車部がケースに回転可能に支持されている。そして、歯車部の中心部に前記スパイラルシャフト２２が貫通されて、互いに噛合っている。従って、スパイラルシャフト２２の上下動に基づいて、歯車部が回転される。
【００４０】
前記歯車部とケースとの間にはグリスが充填され、そのグリスの粘性抵抗により、歯車部の回転に制動力が作用する。従って、歯車部の回転速度すなわち移動框２の移動速度が所定速度以下に抑制される。
【００４１】
このような開閉補助装置を備えた横引プリーツカーテンでは、第一の実施の形態と同様な作用効果を得ることができる。
（第三の実施の形態）
図９は、第三の実施の形態を示す。この実施の形態は、ダンパー装置２４の構成及びワイヤ１４ｂとコイルスプリング１５ｂが省略されている点を除いて、前記第一の実施の形態と同様である。
【００４２】
ダンパー装置２４は、スパイラルシャフト２２と、グリスダンパー２３と、ストッパー２５ａ，２５ｂとで構成される。
前記スパイラルシャフト２２は、前記第二の実施の形態と同様な構成である。前記グリスダンパー２３の構成は、第二の実施の形態と同様であるが、移動框２に固定されていない。
【００４３】
従って、グリスダンパー２３はスパイラルシャフト２２とともに昇降可能である。
前記ストッパー２５ａ，２５ｂは、グリスダンパー２３の移動軌跡上の上部及び下部において、移動框２に固定されている。
【００４４】
従って、グリスダンパー２３は、ストッパー２５ａ，２５ｂに当接するまでの範囲でスパイラルシャフト２２とともに上下動する。
また、ストッパー２５ａの取り付け位置は、スクリーン３ａ，３ｂを全閉近傍まで引き出したとき、グリスダンパー２３が当接する位置であり、ストッパー２５ｂの取り付け位置は、スクリーン３ａ，３ｂを全開近傍まで畳み込んだとき、グリスダンパー２３が当接する位置である。
【００４５】
そして、グリスダンパー２３がストッパー２５ａ，２５ｂに当接した後、スパイラルシャフト２２がさらに同方向に移動したとき、グリスダンパー２３による制動力がスパイラルシャフト２２に作用する。
【００４６】
従って、スクリーン３ａ，３ｂが全開位置近傍から全開位置まで畳み込まれるとき及びスクリーン３ａ，３ｂが全閉位置近傍から全閉位置まで引き出されるとき、移動框２に制動力が作用する。
【００４７】
上記のように構成された横引プリーツカーテンでは、前記第一の実施の形態と同様な作用効果を得ることができるとともに、スクリーン３ａ，３ｂの引出し操作あるいは畳み込み操作の最後の行程においてのみ制動力を作用させることができる。
【００４８】
従って、スクリーン３ａ，３ｂの引出し操作あるいは畳み込み操作の最後の行程以外では、スクリーン３ａ，３ｂの引出し操作あるいは畳み込み操作に要する操作力を軽減することができる。
【００４９】
上記実施の形態は、次に示すように変更することもできる。
・横引プリーツカーテンの他、アコーデオンカーテンに実施してもよい。
・ダンパー装置は、前記オイルダンパー及びグリスダンパー以外の構成してもよい。
【００５０】
【発明の効果】
以上詳述したように、この発明は横引スクリーンの框の移動速度を調整しながら、ハンガーレールの大型化を防止し得る横引スクリーンの開閉装置を提供することができる。
【図面の簡単な説明】
【図１】第一の実施の形態を示す正面図である。
【図２】第一の実施の形態を示す平面図である。
【図３】スクリーンを畳み込んだ状態を示す正面図である。
【図４】ダンパー装置を示す正面図である。
【図５】ダンパー装置を示す側面図である。
【図６】スクリーンを畳み込んだ状態のダンパー装置を示す正面図である。
【図７】第二の実施の形態のダンパー装置を示す正面図である。
【図８】スクリーンを畳み込んだ状態のダンパー装置を示す正面図である。
【図９】第三の実施の形態を示す正面図である。
【符号の説明】
１　　　　　框（固定框）
２　　　　　框（移動框）
３ａ，３ｂ　　　　　スクリーン
７ａ，７ｂ　　　　パンタグラフ装置
８ａ　　　　第一の連接軸
８ｂ　　　　第二の連接軸
１４ａ，１４ｂ　　　　開閉補助装置（ワイヤ）
１５ａ，１５ｂ　　　　開閉補助装置（コイルスプリング）
１６，２１，２４　　　　　ダンパー装置
【図１】
2004084188.tif 000003
【図２】
2004084188.tif 000004
【図３】
2004084188.tif 000005
【図４】
2004084188.tif 000006
【図５】
2004084188.tif 000007
【図６】
2004084188.tif 000008
【図７】
2004084188.tif 000009
【図８】
2004084188.tif 000010
【図９】
2004084188.tif 000011